(57)【特許請求の範囲】
【請求項１】
表面材と防漏材との間に配置された吸収体部と、前記吸収体部と前記防漏材との間に配置された吸着部と、を有する吸収性物品であって、
前記吸着部は、
気体中の水分を吸着するための水分吸着材と、前記吸着部の外部に通じた第１通気部と、第２通気部と、を有する水分吸着部と、
気体中の臭気物質を吸着するための臭気吸着材と、第３通気部と、を有する臭気吸着部と、
通気に抵抗を与えるための抵抗部材を有し、前記第２通気部と前記第３通気部とに接続した抵抗部と、を有し、
前記吸着部の外部の空気は、前記第１通気部から前記水分吸着部内に流入し、前記水分吸着材により水分の除去が行われ、前記第２通気部から前記抵抗部内に流入し、前記抵抗部材により抵抗を受けて移動し、前記第３通気部から前記臭気吸着部に流入した前記水分の除去が行われた空気は、前記臭気吸着材により消臭される、ことを特徴とする吸収性物品。
【発明の詳細な説明】
【技術分野】
【０００１】
本発明は、吸収性物品に関する。
【背景技術】
【０００２】
特許文献１には、透液性の表面シートと裏面シートとの間に吸収体が介在された吸収性物品において、裏面シートが通気性を有するとともに、裏面シートの吸収体側の面には、粉体状の消臭剤が塗装部と非塗装部とが混在したパターンで塗布されている吸収性物品が開示されている。
【先行技術文献】
【特許文献】
【０００３】
【特許文献１】特開2011-239934号公報
【発明の概要】
【発明が解決しようとする課題】
【０００４】
特許文献１では、粉体状の消臭剤により消臭がなされる。しかしながら、吸収体物品は人体に接して用いられ、人体からの水分を吸収するものであるから、吸収性物品付近の空気中の湿度は高くなる。吸収性物品の消臭剤は、吸収体内外の空気中の水分が吸着することにより失活し、消臭機能が低下する場合がある。
【０００５】
本発明は、これらのような従来の問題を解決するためになされたもので、消臭機能の低下を防ぐことが可能な吸収性物品を提供することを目的とする。
【課題を解決するための手段】
【０００６】
本発明は、表面材と防漏材との間に配置された吸収体部と、吸収体部と防漏材との間に配置された吸着部と、を有する吸収性物品であって、吸着部は、気体中の水分を吸着するための水分吸着材と、吸着部の外部に通じた第１通気部と、第２通気部と、を有する水分吸着部と、気体中の臭気物質を吸着するための臭気吸着材と、第３通気部と、を有する臭気吸着部と、通気に抵抗を与えるための抵抗部材を有し、第２通気部と第３通気部とに接続した抵抗部とを有し、吸着部の外部の空気は、第１通気部から水分吸着部内に流入し、水分吸着材により水分の除去が行われ、第２通気部から抵抗部内に流入し、抵抗部材により抵抗を受けて通気し、第３通気部から臭気吸着部に流入した水分の除去が行われた空気は、臭気吸着材により消臭される吸収性物品である。
【発明の効果】
【０００７】
本発明の吸収性物品によれば、消臭機能の低下を抑制することができる。
【図面の簡単な説明】
【０００８】
【図１】実施形態の吸収性物品の概略構成
【図２】図１のＡ-Ａ断面図
【発明を実施するための形態】
【０００９】
以下、実施形態である吸収性物品について、図を参照して詳細に説明をする。なお、実施形態では、吸収性物品として生理用ナプキンについて説明するが、これに限られず、パンティライナー、失禁パッド、成人用紙おむつ、及び、ベビー用紙おむつ等であってもよい。また、生理用ナプキンの公知の構成については説明を適宜省略する。
【００１０】
図１は、実施形態の吸収性物品の概略構成を示す。実施形態の生理用ナプキン１は、ポリエチレンシートなどからなる防漏材５と、経血やおりものなどを速やかに透過させる表面材４と、表面材４と防漏材５との間に配置された綿状パルプ又は合成パルプなどを含む吸収体部３、及び、吸収体部４と防漏材５との間に配置された吸着部２と、を有する。なお、吸着部２の位置はこれに限られず、表面材４から浸透した液体が直接かからない位置であればよい。
【００１１】
防漏材５は、ポリエチレンやポリプロピレン等のオレフィン系樹脂シートや不透液性を付加した不織布などの遮水性を有する材料である。
【００１２】
表面材４は、有孔または無孔の不織布や多孔性プラスチックシートなどの透液性を有する材料である。。
【００１３】
吸収体部３は、防漏材５と表面材４との間に配置される。吸収体部３は、綿状パルプ、吸収紙、高分子吸収材、吸水性ポリマー等の吸収材と、それを収容するシートと、を含む。
【００１４】
図２は、図１のＡ-Ａ断面図である。なお、図２は、構成の理解を容易とするため寸法関係を厚さ方向に誇張して記載している。また、図内の矢印は空気の流れを説明するためのものである。
【００１５】
吸着部２は、水分吸着部２１と、抵抗部２２と、臭気吸着部２３と、を有する。吸着部２は、吸収体部３と防漏材５との間に配置される。
【００１６】
水分吸着部２１は、水分吸着材を気体難透過性のシート等に収容して構成され、表面材４と防漏材５で囲われたとの空間との通気部となる通気部２１ａと、抵抗部２２との通気部となる通気部２１ｂとを有する。
【００１７】
水分吸着材は、例えば、活性炭、シリカゲル、酸化カルシウム、ゼオライト等を用いることが好ましい。気体難透過性のシートは、例えば、ポリエチレン、ポリプロピレン、アルミ箔を含むプラスチックラミネートフィルム等を用いることが好ましい。
【００１８】
また、通気部２１ａ、２１ｂは単一の穴や複数の穴でもよく、メッシュ素材や通気性を有する素材でもよい。
【００１９】
抵抗部２２は、気体の通過に抵抗を与える抵抗材を、気体難透過性のシート等に収容して構成される。抵抗部２２は、通気部２１ｂと通気部２３ａと通気可能に接続する。
【００２０】
抵抗材は、例えば、連続多孔体、管状の部材、連続気泡の多孔体、不織布、紙等の気体が通過する空隙の比率を設定できる材料があるが、装着時の圧力に抗して空隙の体積を維持でき、空隙が連通しているものであることが好ましい。また、抵抗材が気体に与える抵抗力は、通気部２１ａが気体に与える抵抗力より大きければよい。
【００２１】
特に、不織布や紙を使用すると、適切な素材、製法を選択することにより圧力が加わった際の圧縮率を制御することができる。よって、吸着部の空間をつなぐ抵抗部の空隙を適切に保持することができる。従って、より活性が高い空気吸着材を用いた場合でも、吸着特性を十分に発揮しつつ、水分による劣化を抑制することができる。
【００２２】
さらに、不織布や紙は折り曲げる力に対する形状自由度が大きいため、吸着部を収容するシートが軟包材であれば、吸着部の折り曲げ自由度も大きくなり、より汎用的な用途に用いることが可能になる。このようなことから、抵抗材に不織布や紙を用いることが好ましい。
【００２３】
臭気吸着部２３は、臭気吸着材を気体難透過性のシート等に収容して構成され、抵抗部２２との通気部となる通気部２３ａとを有する。
【００２４】
臭気吸着材は、例えば、ゼオライト、活性炭、酸化亜鉛、シリカゲル等の無機成分からなる無機粉体が使用される。また、アルカリ金属やアルカリ土類金属の酸化物や、アルカリ金属やアルカリ土類金属の水酸化物等、例えば、酸化リチウム、水酸化リチウム、酸化バリウム、水酸化バリウム等を用いることでもよい。
【００２５】
また、通気部２３ａは単一の穴や複数の穴でもよく、メッシュ素材や通気性を有する素材でもよい。
【００２６】
図２に示すように、吸収性物品内の空気は、通気部２１ａから水分吸着部２１内に流入し（図中の矢印Ａ）、吸収材により水分の除去が行なわれ、通気部２２ｂから抵抗部２２内に流入する（図中の矢印Ｂ）。
【００２７】
抵抗部材により空気の移動は阻害されながら、空気は、通気部２３ａから臭気吸着部２３に流入し（図中の矢印Ｃ）、臭気吸着材により消臭される。
【００２８】
このように空気が流れることにより、臭気吸着材はその吸着能力の大部分を臭気の吸着に発揮できるため、効率的に消臭できる。
【００２９】
通気部２１ａの通気性は、抵抗材の通気性に比較して大きいため、水分吸着部２１に侵入した気体は内部で淀むことになる。この間に気体に含まれる水分は、水分吸着材により除去されるため、抵抗部２２を経て臭気吸着部２３に到達する気体は水分を含む量が非常に低減されている。
【００３０】
従って、臭気吸着部２３はその吸着能力の大部分を臭気の吸着に発揮できるため効率的に消臭することができる。
【００３１】
以上、実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３２】
１  生理用ナプキン、２  吸着部、３  吸収体部、４  表面材、５  防漏材
【要約】
【課題】  消臭機能の低下を抑制可能な吸収性物品を提供する。
【解決手段】  表面材と防漏材との間に配置された吸収体部と、吸収体部と防漏材との間に配置された吸着部と、を有する吸収性物品であって、吸着部は、気体中の水分を吸着するための水分吸着材と、第１通気部と、第２通気部と、を有する水分吸着部と、気体中の臭気物質を吸着するための臭気吸着材と、第３通気部と、を有する臭気吸着部と、通気に抵抗を与えるための抵抗部材を有し、第２通気部と第３通気部とに接続した抵抗部と、を有し、外部の空気は、第１通気部から水分吸着部内に通気し、水分吸着材により水分の除去が行われ、第２通気部から抵抗部内に通気し、抵抗部材により抵抗を受けて通気し、第３通気部から臭気吸着部に通気して、臭気吸着材により消臭される。
【選択図】  図２【図１】
0006773306.tif 000002
【図２】
0006773306.tif 000003